(57)【特許請求の範囲】
【請求項１】
略四辺形の底板部と、前記底板部の前方に連接した前板部および前天板部と、前記底板部の後方に連接した後板部および後天板部と、前記底板部の右方に連接した右側板部と、前記底板部の左方に連接した左側板部とを有するブランクを折り曲げて形成される梱包箱であって、
前記後天板部は、前記後板部と相対する側に延出した天板フラップを有し、
前記右側板部は、前方側に連接した右前内側係止フラップと、後方側に連接した右後内側係止フラップと、前記底板部と相対する側に連接した右天板内フラップを有し、
前記左側板部は、前方側に連接した左前内側係止フラップと、後方側に連接した左後内側係止フラップと、前記底板部と相対する側に連接した左天板内フラップを有し、
前記右前内側係止フラップ、前記右後内側係止フラップ、前記左前内側係止フラップおよび前記左後内側係止フラップには、それぞれ係止部が形成されており、
前記右側板部および前記左側板部を前記底板部に対し同じ方向に折り曲げるとともに、前記右前内側係止フラップおよび前記左前内側係止フラップを折り曲げて、前記右前内側係止フラップの係止部と前記左前内側係止フラップの係止部とを係止すると、また前記右後内側係止フラップおよび前記左後内側係止フラップを折り曲げて、前記右後内側係止フラップの係止部と前記左後内側係止フラップの係止部とを係止すると、
前記右側板部および前記左側板部が略垂直に折り曲げられて位置づけられるとともに、前記右前内側係止フラップおよび前記左前内側係止フラップが、前記底板部の前辺部に略接して位置づけられて、また前記右後内側係止フラップおよび前記左後内側係止フラップが、前記底板部の後辺部に略接して位置づけられて、前記底板部の上方が開口した箱体を形成することができ、
前記後板部が、前記右後内側係止フラップおよび前記左後内側係止フラップに接するように、前記後板部を前記底板部に対し略垂直に折り曲げるとともに、
前記天板フラップを前記右前内側係止フラップおよび前記左前内側係止フラップの近傍に、または略接して位置づけるように、前記後天板部を折り曲げ、
さらに前記前板部が、前記右前内側係止フラップおよび前記左前内側係止フラップに接するように、前記前板部を前記底板部に対し略垂直に折り曲げ、前記前天板部を前記後天板部に閉止手段で係止することで該梱包箱を閉止することができ、
前記前天板部および前記後天板部によって前記箱体の開口を塞ぐ際に、前記右天板内フラップおよび前記左天板内フラップが前記後天板部の内面側に位置づけられ、
前記閉止手段は、前記前天板部の先端部に形成された閉止爪と、前記閉止爪に形成された切抜き部と、前記後天板部に形成された閉止スリットと、前記閉止スリットに形成された舌部とを含み、前記閉止爪を前記閉止スリットに挿入し係止させると、前記舌部が前記切抜き部に係止し、
前記閉止された該梱包箱を開封するための引裂き線が前記前板部に形成されており、
前記引裂き線は第一の引裂き線および第二の引裂き線からなり、
前記第一の引裂き線および前記第二の引裂き線は、前記底板部側のそれぞれの他端から、前記前天板部側のそれぞれの一端に向け、互いの間隔が徐々に拡がるように形成されており、
前記第一の引裂き線の他端および前記第二の引裂き線の他端は前記前板部の幅方向の中央部側に位置し、
前記第一の引裂き線の他端と前記第二の引裂き線の他端との間には引裂き始点部が介在しており、
前記引裂き始点部を始点として前記引裂き線を引裂くことで、前記前天板部を前記ブランクから分離することができ、
前記閉止手段を係止して閉止された該梱包箱を、前記引裂き始点部を始点として前記引裂き線を引裂くことによって、前記前天板部を前記閉止手段によって前記後天板部に係止させた状態で該梱包箱を開封できることを特徴とする梱包箱。
【請求項２】
前記閉止スリットが前記後天板部の幅方向の中央部に形成され、かつ前記前天板部の縦幅が前記底板部の略二分の一に形成されて、
該梱包箱が閉止されると、前記閉止スリットが前記前天板部および前記後天板部で構成される天板部の中央部に位置づけられることを特徴とする請求項１に記載の梱包箱。
【請求項３】
前記閉止爪は接続部および爪本体部を有し、
前記接続部が前記前天板部と前記爪本体部との間に介在し、
前記爪本体部は、前記接続部近傍において、前記後天板部に形成された前記閉止スリットの幅よりも若干広い最大幅部を有し、その幅が爪先部に向け狭くなっていることを特徴とする請求項２に記載の梱包箱。
【請求項４】
前記右前内側係止フラップを折り曲げるための右前内側係止折り目部と前記右後内側係止フラップを折り曲げるための右後内側係止折り目部との間隔が前記底板部の右辺部の長さよりも若干狭く、
また前記左前内側係止フラップを折り曲げるための左前内側係止折り目部と前記左後内側係止フラップを折り曲げるための左後内側係止折り目部との間隔が前記底板部の左辺部の長さよりも若干狭いことを特徴とする請求項１に記載の梱包箱。
【請求項５】
前記第一の引裂き線の一端は前記前板部と前記前天板部との境界の前記右側板部側の略端部に位置し、その他端は前記底板部と前記前板部との境界のほぼ中央部に位置し、
前記第二の引裂き線の一端は前記前板部と前記前天板部との境界の前記左側板部側の略端部に位置し、その他端は前記底板部と前記前板部との境界のほぼ中央部に位置していることを特徴とする請求項１に記載の梱包箱。
【請求項６】
前記ブランクが段ボールまたは厚紙で形成されたことを特徴とする請求項１ないし５の何れかに記載の梱包箱。
【発明の詳細な説明】
【技術分野】
【０００１】
本発明は、ブランクを糊などで接着またはテープなどで貼着することなく、梱包箱の形成および蓋部の閉止が可能であり、また閉止後の梱包箱を、道具を用いることなく手で開封（開梱）可能であり、さらに梱包箱として再使用することができる梱包箱に関するものである。
【背景技術】
【０００２】
種々の物品を収容する梱包箱、たとえば配送または保管のための梱包箱は、４つの側面、天面および底面となる各板部を有する１枚のブランクを、折り目線に従って折ることで、梱包箱とするものが一般的である。こうした梱包箱では、隣接する板部同士を糊などで接着して、またはテープで貼着して、梱包箱が形成される（特許文献１〜５）。
【０００３】
これら梱包箱では、蓋部となる天面または側面の板部を糊などで接着して、またはテープで貼着して閉止される一方、開封は、梱包箱の天面および側面の一方または双方に形成されたミシン目を引裂くことで行われるものがある（特許文献３および４）。また天面および底面に位置する板部をテープで貼着などして閉止し、開封時にはこのテープを剥がすものもある（特許文献５）。
【０００４】
しかし、上述した各梱包箱は、物品の収容に際し、糊づけ、またはテープの貼着をしなければ梱包箱を形成することができない。また梱包箱は、閉止が確実で、収容物が外部から見えないことが求められ、各面の境界などに形成される隙間を塞ぐための、糊づけ、またはテープの貼着が必要となることもある。そのため、通信販売業界などにおいては、梱包箱の組み立て時における糊づけ、またはテープの貼着作業、および糊などの材料費の発生でコストが増大するという問題がある。
【０００５】
糊づけ、またはテープで貼着された梱包箱は、開封時に糊またはテープを剥がさねばならず、カッターナイフなどの道具を必要とし開封作業が容易でない。さらに、リサイクルするときには、解体した梱包箱からテープを剥がさなければならないこともあり、開封作業の煩雑化および作業コストの増加という問題がある。開封が容易なミシン目を引裂くタイプの梱包箱においても、リサイクルにおけるテープの処理は同様の問題を生じさせる。上記の各問題は、梱包箱を物品保管などに用いる場合でも同様である。また通信販売などでは、稀に商品などの返品が生じるため、開封した梱包箱で返品の商品などを再梱包できることが望まれる。
【先行技術文献】
【特許文献】
【０００６】
【特許文献１】特開２０１０−０９５２６２号公報
【特許文献２】特開２００８−０７４４５８号公報
【特許文献３】特許第４８５２９２０号公報
【特許文献４】特許第４９３８４０２号公報
【特許文献５】特開２００４−１６８３５４号公報
【発明の概要】
【発明が解決しようとする課題】
【０００７】
そこで本発明は、糊づけ、またはテープの貼着をすることなく確実に閉止できる梱包箱を実現し、さらに開封に際し、カッターナイフなどの道具を必要とせず、手で開封することができ、リサイクルする際に、梱包箱の解体が容易であり、テープなどの分別が不要であり、ブランクを折り曲げた際にできる隙間が少なく、さらに梱包箱として再使用することができる梱包箱の実現を課題とした。
【課題を解決するための手段】
【０００８】
上記課題を解決するために、本発明に係る梱包箱は、該梱包箱を形成するためのブランクが底板部、底板部の前方に連接した前板部および前天板部、底板部の後方に連接した後板部および後天板部、底板部の右方に連接した右側板部、ならびに底板部の左方に連接した左側板部を有している。
【０００９】
さらに後天板部は、後板部と相対する側に延出した天板フラップを有し、また右側板部は、前方側に連接した右前内側係止フラップおよび後方側に連接した右後内側係止フラップを有し、左側板部も、前方側に連接した左前内側係止フラップおよび後方側に連接した左後内側係止フラップを有している。右前内側係止フラップ、右後内側係止フラップ、左前内側係止フラップおよび左後内側係止フラップには、それぞれ係止部が形成されている。
【００１０】
ブランクは、右側板部および左側板部を底板部に対し同じ方向に折り曲げるとともに、右前内側係止フラップおよび左前内側係止フラップを折り曲げて、右前内側係止フラップの係止部と左前内側係止フラップの係止部とを係止することができる。同様に、右後内側係止フラップおよび左後内側係止フラップを折り曲げて、右後内側係止フラップの係止部と左後内側係止フラップの係止部とを係止することができる。
【００１１】
上記のように右前内側係止フラップ、左前内側係止フラップ、右後内側係止フラップおよび左後内側係止フラップの係止部を係止すると、底板部の右左辺部において、右側板部および左側板部が略垂直に折り曲げられて位置づけられとともに、右前内側係止フラップおよび左前内側係止フラップが、底板部の前辺部に略接して位置づけられ、また右後内側係止フラップおよび左後内側係止フラップが、底板部の後辺部に略接して位置づけられる。こうしてブランクは、底板部を底部とし、その上方が開口した箱体を形成することができる。
【００１２】
さらに後板部と、右後内側係止フラップおよび左後内側係止フラップとが接するように、後板部を底板部に対し略垂直に折り曲げるとともに、天板フラップが右前内側係止フラップおよび左前内側係止フラップの近傍に、または略接して位置づけられるように、後天板部および天板フラップを折り曲げる。そうすると箱体の開口の略全領域を後天板部によって塞ぐことができる。
【００１３】
さらに前板部と、右前内側係止フラップおよび左前内側係止フラップとが接するように、前板部を底板部に対し略垂直に折り曲げるとともに、前天板部を折り曲げて後天板部を覆い、さらに前天板部を閉止手段で後天板部に係止して該梱包箱を閉止することができる。
【００１４】
閉止された該梱包箱を開封するための引裂き線は前板部に形成されている。引裂き線は第一の引裂き線および第二の引裂き線からなり、第一の引裂き線および第二の引裂き線は、底板部側のそれぞれの他端から、前天板部側のそれぞれの一端に向け、互いの間隔が徐々に拡がるように形成されている。第一の引裂き線の他端および第二の引裂き線の他端は前板部の幅方向の中央部側に位置し、第一の引裂き線の他端と第二の引裂き線の他端との間には引裂き始点部が介在しており、引裂き始点部を始点として引裂き線を引裂くことで、前天板部をブランクから分離することができる。したがって、閉止手段を係止して閉止された該梱包箱を、引裂き始点部を始点として引裂き線を引裂くことによって、前天板部を閉止手段によって後天板部に係止させた状態で該梱包箱を開封できる。
【００１５】
ところで開封された該梱包箱では、右左前内側係止フラップが底板部の前辺部において互いに係止している。これら右左前内側係止フラップの近傍に天板フラップを位置づけることで、開封された該梱包箱を再び閉止することができる。
【００１６】
ただし前天板部は、前天板部と連接した部分および底板部と連接した部分に分離されているため、該梱包箱の再閉止においては、テープなどを用いて閉止する必要がある。しかし該梱包箱の再使用は、物品の返送などの場合に行われるものであり、テープの貼着作業などの材料費および作業費などは問題とならない。
【００１７】
すなわち該梱包箱は、ブランクを折り曲げて組み立てるだけで（テープの貼着や糊づけすることなく）容易に組み立てることができ、またカッターなどの道具を用いず手だけで開封することができる。また右左前内側係止フラップと前板部とが重なるから、そして右左後内側係止フラップと後板部とが重なるから、底板部と、前板部、後板部、右側板部および左側板部との境界に隙間や切れ目が生じない。しかも該梱包箱は、開封後に梱包箱として再使用することができる（請求項１）。
【００１８】
閉止手段は、前天板部の先端部に形成された閉止爪と、閉止爪に形成された切抜き部と、後天板部に形成された閉止スリットと、閉止スリットに形成された舌部とを含んでいる。したがって、閉止爪を閉止スリットに挿入し係止させると、舌部が切抜き部に係止して、該梱包箱の閉止をより確実にすることができる（請求項１）。ここでたとえば、閉止スリットが後天板部の幅方向の中央部に形成され、かつ前天板部の縦幅が底板部の略二分の一に形成されていれば、該梱包箱が閉止されると、閉止スリットが前天板部および後天板部で構成される天板部の中央部に位置づけられる（請求項２）。
【００１９】
さらに閉止爪は、爪本体部および爪本体部と前天板部との間に介在する接続部を有し、爪本体部が接続部近傍において、後天板部に形成された閉止スリットの幅よりも若干広い最大幅部を有する一方、爪本体部の幅が爪先部に向け狭くなっていてもよい（請求項３）。このような閉止爪を閉止スリットに挿入すると、閉止爪は、幅の狭い爪先部が閉止スリットを通過し、さらに最大幅部が閉止スリットを通過することができる。しかし、閉止爪を閉止スリットから抜こうとすると、最大幅部が閉止スリットに阻まれて、閉止爪を抜くことができない。すなわち該梱包箱は、閉止が容易な一方、不用意な開封を防ぐことができる。
【００２０】
右前内側係止フラップを折り曲げるための右前内側係止折り目部と右後内側係止フラップを折り曲げるための右後内側係止折り目部との間隔を、底板部の右辺部の長さよりも若干狭くすることで、また左前内側係止フラップを折り曲げるための左前内側係止折り目部と左後内側係止フラップを折り曲げるための左後内側係止折り目部との間隔を、底板部の左辺部の長さよりも若干狭くすることで、右および左前内側係止フラップが前板部の内面と接するようにすることができ、また右および左後内側係止フラップが後板部の内面と接するようにすることができる（請求項４）。
【００２１】
第一の引裂き線は、前板部と前天板部との境界の右側端部側と、底板部と前板部との境界のほぼ中央部との間に形成され、第二の引裂き線は、前板部と前天板部との境界の左側端部側と、底板部と前板部との境界のほぼ中央部との間に形成され、底板部と前板部との境界側では、第一の引裂き線と第二の引裂き線との間に引裂き始点部が形成されている（請求項５）。このような構成であれば、引裂き始点部の近傍を指先などで把持して、引裂き線を引裂けば、カッターナイフなどの道具を使うことなく該梱包箱を開封することができる。
【００２２】
右側板部は底板部と相対する側に連接した右天板内フラップを有し、また左側板部は底板部と相対する側に連接した左天板内フラップを有している（請求項１）。したがって、前天板部および後天板部を折り曲げて箱体の開口を塞ぐ際、右天板内フラップおよび左天板内フラップは後天板部の内面と接する。
【００２３】
かかる構成を有する梱包箱は、箱体における前板部側の縁が前板部および前天板部で覆われ（後板部側の縁も同様）、そして右側板部側の縁が右側板部および右天板内フラップで覆われたうえに天板部で覆われるから（左側板部側の縁も同様）、いずれも隙間や切れ目が生じない。もちろん、ブランク（該梱包箱）は段ボールまたは厚紙で形成することができる（請求項６）。
【発明の効果】
【００２４】
上記構成を有する本発明にかかる梱包箱によれば、梱包箱の組み立て時における糊づけ作業、テープの貼着作業、および閉止のための糊などが不要となるため、梱包箱の組み立てなどのコストを低減することができるとともに、ブランクを折り曲げた際にできる隙間を少なくすることができ、またカッターナイフなどの道具を必要とせず、手で開封することができるため、作業が容易で開封作業のコストを低減することができ、さらに開封後においても解体した梱包箱からテープなどを取り除く必要がないため、リサイクル作業のコストを低減することができる。しかも本発明にかかる梱包箱は、開封後に梱包箱として再使用することができる。
【図面の簡単な説明】
【００２５】
【図１】本発明の一実施例にかかる梱包箱を形成するためのブランクの概略平面構成を示す図である。
【図２】図１に示すブランクが有する閉止爪、閉止スリットおよび右左前後内側係止フラップの概略構成を説明するための図である。
【図３】図１に示すブランクが有する右前内側係止フラップの構成を説明するための図である。
【図４】図１に示すブランクにおける、底板部に対する右側板部および左側板部の折り曲げ、ならびに右後内側係止フラップと左後内側係止フラップとの係止などを説明するための図である（同図（ａ）は係止直前を示し、同図（ｂ）は係止した状態を示す。）。
【図５】図１に示すブランクにおける、後天板部の折り曲げ、前板部、前天板部および引裂き線などを説明するための図である。
【図６】図１に示すブランクで形成される梱包箱の閉止、および引裂き線による開封を説明するための図である。
【図７】図１に示すブランクで形成された梱包箱を開封した状態を説明するための図である。
【図８】図１に示すブランクで形成された梱包箱の再使用を説明するための図である（図８（ａ）、（ｂ））。
【発明を実施するための形態】
【００２６】
以下、図面を参照して本発明にかかる梱包箱について説明する。
【００２７】
＜梱包箱を形成するためのブランクの概略構成＞
本発明の一実施例にかかる梱包箱１を、それを形成するブランク２とともに説明する。図１にその平面概略構成を示すブランク２は、底板部１０、前板部２０、前天板部３０、後天板部３５、後板部４０、右側板部５０および左側板部５５を有しており、後天板部３５は、後板部４０と相対する側に延出した天板フラップ３７を有している。
【００２８】
底板部１０の右辺部１０ａは底板部１０と右側板部５０との境界（折り目部）となっており、右辺部１０ａと相対する左辺部１０ｂは底板部１０と左側板部５５との境界（折り目部）となっている。また底板部１０の前辺部１０ｃは底板部１０と前板部２０との境界（折り目部）となっており、底板部１０の後辺部１０ｄは底板部１０と後板部４０との境界（折り目部）となっている。
【００２９】
前板部２０は、底板部１０と前天板部３０との間に介在し、後板部４０は、底板部１０と後天板部３５との間に介在している。前天板部３０と前板部２０との境界２０ａは両者間の折り目部となっており、後天板部３５と後板部４０との境界４０ａは両者間の折り目部となっている。
【００３０】
右側板部５０は、底板部１０と右天板内フラップ５３との間に介在し、左側板部５５は、底板部１０と左天板内フラップ５８との間に介在している。右天板内フラップ５３と右側板部５０との境界５０ａは両者間の折り目部となっており、左天板内フラップ５８と左側板部５５との境界５５ａは両者間の折り目部となっている。
【００３１】
右側板部５０は、前板部２０側に連接した右前内側係止フラップ５１、および後板部４０側に連接した右後内側係止フラップ５２を有している。右側板部５０と右前内側係止フラップ５１との境界は両者間の折り目部（右前内側係止折り目部５１ａ）となっており、右側板部５０と右後内側係止フラップ５２との境界は両者間の折り目部（右後内側係止折り目部５２ａ）となっている。
【００３２】
また、左側板部５５は、前板部２０側に連接した左前内側係止フラップ５６、および後板部４０側に連接した左後内側係止フラップ５７を有している。左側板部５５と左前内側係止フラップ５６との境界は両者間の折り目部（左前内側係止折り目部５６ａ）となっており、左側板部５５と左後内側係止フラップ５７との境界は両者間の折り目部（左後内側係止折り目部５７ａ）となっている。
【００３３】
右天板内フラップ５３は、その幅が右側板部５０の幅よりも若干狭く、その前部端５３ａが右前内側係止折り目部５１ａよりも若干右後内側係止フラップ５２側に位置している。左天板内フラップ５８の前部端５８ａも同様である。
【００３４】
ブランク２は、典型的には段ボールで形成されるが、段ボールに限定されず、厚紙などで形成されたものであってもよい。
【００３５】
＜前板部と引裂き線＞
前板部２０には、ミシン目で形成された第一の引裂き線２１および第二の引裂き線２２が設けられている。第一の引裂き線２１は、その一端２１ａが前板部２０と前天板部３０との境界２０ａの、右前内側係止フラップ５１側の端部に位置し、その他端２１ｂが底板部１０の前辺部１０ｃの略中央部に位置している。第二の引裂き線２２は、その一端２２ａが境界２０ａの左前内側係止フラップ５６側の端部に位置し、その他端２２ｂが前辺部１０ｃの略中央部に位置している。ここで、第一の引裂き線２１の他端２１ｂと、第二の引裂き線２２の他端２２ｂとの間には、引裂き始点部２３が形成されている。引裂き始点部２３は、略半円形状の引裂き切欠き２３ｘを有している。
【００３６】
＜天板部＞
天板部は前天板部３０および後天板部３５で構成される。前天板部３０は、その先端部３１の中央近傍に閉止爪３２を備えており、また後天板部３５は、その中央領域に閉止スリット３６を有しており、閉止爪３２を閉止スリット３６に挿入することで、天板部によって梱包箱１を閉止することができる。
【００３７】
後天板部３５の縦幅は、底板部１０の縦幅（底板部１０の前辺部１０ｃと後辺部１０ｄとの間隔である）よりもわずかに狭い。一方、前天板部３０の縦幅（境界２０ａと、この境界２０ａと相対する辺３０ａとの間隔である）は、底板部１０の縦幅の約二分の一である（閉止爪３２を含まず）。したがって、梱包箱１を閉止するときに、前天板部３０と後天板部３５とが重なる領域の幅は、底板部１０の縦幅の約５割となる。なお前天板部３０および後天板部３５の構成は、上記の構成に限定されない。
【００３８】
＜閉止爪および閉止スリットについて＞
図１および図２に示すように、前天板部３０の先端部３１の中央近傍には閉止爪３２が形成されており、閉止爪３２は、接続部３２ｊ、爪本体部３２ｔ、最大幅部３２ａ、爪先部３２ｂ、および切抜き部３２ｓを有している。これら閉止爪３２の構成要素は、何れも前天板部３０の先端部３１でセンター振り分けされている。
【００３９】
接続部３２ｊは爪本体部３２ｔと前天板部３０との間に介在し（図２）、爪本体部３２ｔは、接続部３２ｊ近傍が最も幅広の最大幅部３２ａとなっており、爪先部３２ｂに向け幅が狭くなっている。切抜き部３２ｓは、接続部３２ｊの中央部分において、閉止爪３２および前天板部３０にまたがる細長いスリット形状をなしている。
【００４０】
後天板部３５の閉止スリット３６は、主切込線部３６ａ、副切込線部３６ｂ、切抜き部３６ｓ、間隙３６ｓ’および舌部３６ｔを有している（図２）。これら閉止スリット３６の構成要素は、何れも後天板部３５の横幅方向でセンター振り分けされている。
【００４１】
主切込線部３６ａの両端には、境界４０ａから離れる方向に副切込線部３６ｂが連続して形成されている。主切込線部３６ａと境界４０ａとの間隔は底板部１０の縦幅の約５割であり、前天板部３０と後天板部３５とを重ねて梱包箱１を閉止するときに、閉止爪３２を主切込線部３６ａに挿入することができる。主切込線部３６ａの長さは、閉止爪３２の最大幅部３２ａの幅よりも若干短い。したがって閉止爪３２は、閉止スリット３６に容易に挿入できる一方、挿入後には、最大幅部３２ａが主切込線部３６ａに阻まれて、閉止スリット３６から容易に抜くことができない（天板部を確実に閉止することができる。）。
【００４２】
切抜き部３６ｓは、主切込線部３６ａから、天板フラップ３７側に向け形成されており、その横幅は閉止爪３２の接続部３２ｊの横幅よりも狭い。切抜き部３６ｓの中央部には、舌部３６ｔが主切込線部３６ａに向け延出し、その先端と主切込線部３６ａとの間に間隙３６ｓ’が形成されており、舌部３６ｔの横幅は閉止爪３２の切抜き部３２ｓの横幅よりも若干狭い。切抜き部３６ｓの縦幅は閉止爪３２の接続部３２ｊの長さより若干長く、舌部３６ｔの長さは切抜き部３６ｓの縦幅より若干短い。したがって、閉止爪３２を閉止スリット３６に挿入すると、舌部３６ｔが閉止爪３２の切抜き部３２ｓに係止して、閉止爪３２の閉止スリット３６からの離脱がより困難となる（天板部の閉止がより確実なものとなる。）。
【００４３】
＜係止フラップについて＞
次に右前後内側係止フラップ５１、５２および左前後内側係止フラップ５６、５７について、右前内側係止フラップ５１を例に説明する。
【００４４】
図１および図２に示すように、右前内側係止フラップ５１は、右側板部５０の前方側（前板部２０側）に連接し、高さが右側板部５０の高さ（右前内側係止折り目部５１ａの長さ）と等しく、長さが底板部１０の横幅（前辺部１０ｃの長さ）の６割強である。
【００４５】
図３に示すように、右前内側係止フラップ５１では、右前内側係止折り目部５１ａの右天板内フラップ５３側端と、右前内側係止フラップ５１の先端辺５１ｂの一端との間が上部辺５１ｃとなっており、上部辺５１ｃと相対する底部辺５１ｄは、上部辺５１ｃよりも短い。上部辺５１ｃと底部辺５１ｄとの長さの相違によって生じる領域（先端側領域）が右前内側係止フラップ５１の係止部５１ｒである。
【００４６】
係止部５１ｒには、谷部５１ｎを有する噛み合わせ部５１ｓが底部辺５１ｄ側に形成されており、谷部５１ｎよりも先端側が係止片５１ｔである。噛み合わせ部５１ｓは、谷部５１ｎにおいて最も幅が狭く、底部辺５１ｄ側に向けて幅が広い略Ｖ字形状を成し、谷部５１ｎから係止片５１ｔ側には丸みを帯びた縁部５１ｆが形成され、谷部５１ｎと底部辺５１ｄの先端５１ｘとの間には斜辺５１ｅが形成されている。係止片５１ｔの高さは右前内側係止フラップ５１の高さの７〜８割である。
【００４７】
谷部５１ｎと上部辺５１ｃとの間隔（谷部５１ｎにおける右前内側係止フラップ５１の高さ）は、右前内側係止フラップ５１の高さ（右前内側係止折り目部５１ａの長さと等しい）の二分の一であり、谷部５１ｎと右前内側係止折り目部５１ａとの間の長さは底板部１０の横幅の二分の一である。
【００４８】
図２に示すように、右後内側係止フラップ５２は、右側板部５０を間にして、右前内側係止フラップ５１と線対称で同様に形成され、そして左後内側係止フラップ５７は、右後内側係止フラップ５２と同様に形成されている。但し左後内側係止フラップ５７は、底部辺５７ｄの長さが左後内側係止フラップ５７の長さに等しい一方、上部辺５７ｃが底部辺５７ｄより短くなっている点、および噛み合わせ部５７ｓが上部辺５７ｃ側に形成されている点において、右後内側係止フラップ５２と相違する。
【００４９】
左前内側係止フラップ５６は、左側板部５５を間にして、左後内側係止フラップ５７と線対称で同様に形成されている。但し、左前内側係止フラップ５６は、底部辺５６ｄ側の噛み合わせ部５６ｓと相対する部位に半円形状切り欠き部５６ｗが形成されている点、および底部辺５６ｄの先端側にブランク２の裁断の都合で生じる矩形状の切り欠き部５６ｙを有する点において、左後内側係止フラップ５７と相違する。なお半円形状切り欠き部５６ｗは、梱包箱１における引裂き始点部２３の内部側に位置するようになっている。
【００５０】
＜＜梱包箱の組み立てについて＞＞
＜右左前後内側係止フラップの係止と箱体の形成について＞
次に右前後内側係止フラップ５１、５２および左前後内側係止フラップ５６、５７の係止について、右後内側係止フラップ５２と左後内側係止フラップ５７との係止を例に説明する。
【００５１】
図４（ａ）に示すように、右側板部５０および左側板部５５が底板部１０と直交するように、底板部１０の右辺部１０ａおよび左辺部１０ｂを折り目部として谷折りする。このとき右後内側係止フラップ５２を右後内側係止折り目部５２ａで折り曲げて、および左後内側係止フラップ５７を左後内側係止折り目部５７ａで折り曲げて、右後内側係止フラップ５２および左後内係止フラップ５７を底板部１０の後辺部１０ｄ上に位置づけるようにする。
【００５２】
さらに係止部５２ｒと係止部５７ｒとを係止することで、右後内側係止フラップ５２と左後内側係止フラップ５７とを相互に係止することができる。その結果、図４（ｂ）に示すように、底板部１０の右辺部１０ａおよび左辺部１０ｂには、右側板部５０および左側板部５５が立設し、後辺部１０ｄ上には右後内側係止フラップ５２および左後内側係止フラップ５７が底板部１０と直交して位置づけられる。
【００５３】
なお図４（ｂ）では、右後内側係止フラップ５２の係止片５２ｔおよび左後内側係止フラップ５７の係止片５７ｔを後天板部３５側に位置づけているが、係止片５２ｔおよび係止片５７ｔを底板部１０側に位置づけることもできる。
【００５４】
同様に、右前内側係止フラップ５１と左前内側係止フラップ５６とを係止する。そうすると底板部１０の四辺上には、右側板部５０、右後内側係止フラップ５２、左後内側係止フラップ５７、左側板部５５、左前内側係止フラップ５６および右前内側係止フラップ５１から成る枠体が位置づけられて、底板部１０を底部とする内部空間を有する箱体３（底板部１０と相対する側は開口している）が形成される。
【００５５】
このとき、相互に係止した右前内側係止フラップ５１および左前内側係止フラップ５６においては、図５に示すように、左前内側係止フラップ５６の半円形状切り欠き部５６ｗが引裂き始点部２３上に位置づけられる。半円形状切り欠き部５６ｗと引裂き切欠き２３ｘとは、底板部１０の前辺部１０ｃを挟んで対峙している。
【００５６】
さらに右天板内フラップ５３および左天板内フラップ５８を底板部１０側に折り曲げたのち、図５に示すように、後板部４０を、その内面４０ｘが右後内側係止フラップ５２および左後内側係止フラップ５７と接するように折り曲げ、さらに後天板部３５を、その内面３５ｘが右天板内フラップ５３および左天板内フラップ５８と接するように折り曲げる。
【００５７】
このとき右天板内フラップ５３の前部端５３ａは、右前内側係止フラップ５１よりも若干、右後内側係止フラップ５２側に位置して、右天板内フラップ５３と右前内側係止フラップ５１との間に間隙５３ｇが生じる。同様に左天板内フラップ５８と左前内側係止フラップ５６との間に間隙５８ｇが生じる。
【００５８】
ところで後天板部３５の縦幅は底板部１０の縦幅よりもわずかに狭いから、後天板部３５に対し折り曲げた天板フラップ３７は、その両側部を間隙５３ｇと間隙５８ｇとの間に挿入して、右前内側係止フラップ５１および左前内側係止フラップ５６と接するように位置づけることができる。こうして箱体３の開口は後天板部３５によって塞がれる。
【００５９】
＜梱包箱の閉止について＞
後天板部３５によって箱体３の開口を塞いだ後に、前板部２０の内面２０ｘが右前内側係止フラップ５１および左前内側係止フラップ５６と接するように、底板部１０に対し前板部２０を折り曲げるとともに、前天板部３０を後天板部３５に向けて折り曲げる。前天板部３０の縦幅（閉止爪３２を含まず）は、底板部１０の縦幅の二分の一であるから、閉止爪３２が閉止スリット３６のところに位置づけられて、閉止爪３２を閉止スリット３６に挿入できる状態となる。閉止爪３２を閉止スリット３６に挿入すると、箱体３の開口が閉塞され、前天板部３０の内面３０ｘが後天板部３５と接して、図６に示すように梱包箱１を閉止することができる。もちろん梱包箱１の閉止に際しては、所望の物品などが梱包箱１に収容される。
【００６０】
ここで、閉止爪３２の最大幅部３２ａは、閉止スリット３６の主切込線部３６ａの長さより若干幅が広いから、主切込線部３６ａが閉止爪３２の抜け止として作用する。また閉止スリット３６の舌部３６ｔが閉止爪３２の切抜き部３２ｓに係止して、閉止爪３２の閉止スリット３６からの離脱がより困難になる（天板部の閉止がより確実となる。）。
【００６１】
こうして閉止された梱包箱１は、右左前内側係止フラップ５１、５６と前板部２０とが重なるから、そして右左後内側係止フラップ５２、５７と後板部４０とが重なるから、底板部１０と、前板部２０、後板部４０、右側板部５０および左側板部５５との境界に、隙間や切れ目が生じない。なお引裂き切欠き２３ｘおよび半円形状切り欠き部５６ｗの内部側は、天板フラップ３７によって閉塞される。
【００６２】
また梱包箱１は、前板部２０側の縁が前板部２０および前天板部３０で覆われ、後板部４０側の縁が後板部４０および後天板部３５で覆われ、右側板部５０側の縁が、右側板部５０および右天板内フラップ５３で覆われたうえに天板部で覆われ、そして左側板部５５側の縁が、左側板部５５および左天板内フラップ５８で覆われたうえに天板部で覆われるため、いずれも隙間や切れ目が生じない。すなわちブランク２を折り曲げて形成した梱包箱１は、隙間や切れ目が生じない。
【００６３】
＜梱包箱の開封について＞
左前内側係止フラップ５６の半円形状切り欠き部５６ｗおよび前板部２０の引裂き始点部２３に形成された引裂き切欠き２３ｘは、図６に示すように引裂き始点部２３上に位置づけられている。したがって、引裂き始点部２３に指先を掛けると、前板部２０に形成された第一の引裂き線２１および第二の引裂き線２２を引裂くことができる。
【００６４】
こうして第一の引裂き線２１および第二の引裂き線２２を引裂くと、図７に示すように前板部２０は底板部１０に連接した二つの主前板部２０ｍと、前天板部３０に連接した一つの副前板部２０ｎとに分離して、箱体３を閉塞していた前天板部３０および後天板部３５からなる天板部が箱体３の開口から離れ、梱包箱１が開封される。
【００６５】
このとき後板部４０は、右後内側係止フラップ５２および左後内側係止フラップ５７から離れるが、右前内側係止フラップ５１と左前内側係止フラップ５６との係止、および右後内側係止フラップ５２と左後内側係止フラップ５７との係止を解除しない限り、右側板部５０、右後内側係止フラップ５２、左後内側係止フラップ５７、左側板部５５、左前内側係止フラップ５６および右前内側係止フラップ５１で底板部１０の四辺上に形成された枠体は、その形状を維持することができる（図７）。
【００６６】
さらに右前内側係止フラップ５１と左前内側係止フラップ５６との係止、および右後内側係止フラップ５２と左後内側係止フラップ５７との係止を解除すれば、開封された梱包箱１のブランク２を平面に展開することができるから、そして接着剤による接着や、テープの貼着等がされていないから、リサイクル作業を簡略化することができる。
【００６７】
＜梱包箱の再使用について＞
次に開封された梱包箱１の再使用について説明する。開封された梱包箱１（図７参照）では、図８（ａ）に示すように、前天板部３０の閉止爪３２を後天板部３５の閉止スリット３６から引き抜くことで、前天板部３０を後天板部３５から切り離すことができ、また底板部１０の前辺部１０ｃにミシン目が形成されている場合には、底板部１０側に連接している前板部２０の二つの主前板部２０ｍを底板部１０から切り離すことができる。こうして後天板部３５および主前板部２０ｍを梱包箱１から切り離しても、底板部１０の四辺上に形成された枠体はその形状を維持しているから、枠体内に物品を収容することができる。
【００６８】
枠体内に物品を収容したのち、右天板内フラップ５３、左天板内フラップ５８を折り曲げ、さらに天板フラップ３７を、互いに係止した右前内側係止フラップ５１、左前内側係止フラップ５６の内側に挿入して、図８（ｂ）に示すように後天板部３５で枠体を閉止することで、開封された梱包箱１を再使用することができる。なお左前内側係止フラップ５６の半円形状切り欠き部５６ｗは、天板フラップ３７によって塞がれる。
【００６９】
梱包箱１の再使用においては、右前内側係止フラップ５１の上部辺５１ｃおよび左前内側係止フラップ５６の上部辺５６ｃと、後天板部３５と天板フラップ３７と間の境界３５ａとの間に、僅かな間隙が生じるから、少なくともこの間隙をテープなどで塞ぐことが望ましい。また閉止スリット３６もテープなどで塞ぐことが望ましい。なお宛先などを示す伝票を貼着する場合には、この伝票で閉止スリット３６を塞ぐこともできる。
【００７０】
前天板部３０を後天板部３５から切り離さず、また底板部１０に連接している二つの主前板部２０ｍを底板部１０から切り離さなかった場合にも、開封された梱包箱１を再使用することができる。右天板内フラップ５３、左天板内フラップ５８を折り曲げ、さらに天板フラップ３７を、互いに係止した右前内側係止フラップ５１、左前内側係止フラップ５８の内側に挿入して、後天板部３５で枠体を閉止すればよい。
【００７１】
この場合には、先ず、前天板部３０に連接した前板部２０の副前板部２０ｎおよび底板部１０に連接した前板部２０の主前板部２０ｍが、互いに係止した右前内側係止フラップ５１および左前内側係止フラップ５６の外側表面に接するように位置づける（このときの梱包箱１の外観は図６に示すものと同様になる。）。そののち、右前内側係止フラップ５１、前板部２０の主前板部２０ｍ、副前板部２０ｎ、および左前内側係止フラップ５６にかけてテープなどを貼着する。
【００７２】
なお本発明にかかる梱包箱は、その趣旨を変更することなく適宜変形して実施することができる。
【符号の説明】
【００７３】
１  梱包箱
２  ブランク
３  箱体
１０  底板部
１０ａ  底板部の右辺部（底板部と右側板部との境界（折り目部））
１０ｂ  底板部の左辺部（底板部と左側板部との境界（折り目部））
１０ｃ  底板部の前辺部（底板部と前板部との境界（折り目部））
１０ｄ  底板部の後辺部（底板部と後板部との境界（折り目部））
２０  前板部
３０  前天板部
３１  前天板部の先端部
３２  閉止爪
３２ａ  閉止爪の最大幅部
３２ｂ  閉止爪の爪先部
３２ｊ  閉止爪の接続部
３２ｔ  閉止爪の爪本体部
３５  後天板部
３６  閉止スリット
３７  天板フラップ
４０  後板部
５０  右側板部
５１  右前内側係止フラップ
５１ａ  右前内側係止折り目部
５１ｒ  右前内側係止フラップの係止部
５２  右後内側係止フラップ
５２ａ  右後内側係止折り目部
５２ｒ  右後内側係止フラップの係止部
５３  右天板内フラップ
５５  左側板部
５６  左前内側係止フラップ
５６ａ  左前内側係止折り目部
５６ｒ  左前内側係止フラップの係止部
５７  左後内側係止フラップ
５７ａ  左後内側係止折り目部
５７ｒ  左後内側係止フラップの係止部
５８  左天板内フラップ
【要約】
【課題】接着等することなく閉止でき、また手で開封できる梱包箱を実現する。
【解決手段】梱包箱１を形成するブランク２は底板部１０、前板部２０、前天板部３０、後板部４０、後天板部３５、右側板部５０、左側板部５５を有し、右側板部５０は右前後内側係止フラップ５１、５２を有し、左側板部５５は左前後内側係止フラップ５６、５７を有し、右左側板部５０、５５を底板部１０に対し折り曲げ、また右左前後内側係止フラップ５１、５２、５６、５７を折り曲げ、それらが有する係止部５１ｒ、５２ｒ、５６ｒ、５７ｒを係止すると、底板部１０の上方が開口した箱体３を形成でき、さらに後板部４０と後天板部３５を折り曲げたのち前板部２０と前天板部３０を折り曲げて箱体３の開口を塞ぎ、閉止手段で梱包箱１を閉止でき、閉止された梱包箱１を開封する引裂き線２１、２２が前板部２０に形成されている。
【選択図】図１【図１】
0005420089.tif 000002
【図２】
0005420089.tif 000003
【図３】
0005420089.tif 000004
【図４】
0005420089.tif 000005
【図５】
0005420089.tif 000006
【図６】
0005420089.tif 000007
【図７】
0005420089.tif 000008
【図８】
0005420089.tif 000009